(57)【特許請求の範囲】
【請求項１】
給水を加熱して注湯を行う給湯管路と、浴槽内の湯水を循環加熱する追焚き管路とを分岐管路によって接続し、この分岐管路に給湯管路と追焚き管路とを空気分離するホッパを設けた複合式給湯器であって、
上記ホッパの排水タンクから上記追焚き管路に切替弁を介して排水管路を接続するとともに、上記浴槽内の水位を検出する圧力センサを設け、前記排水管路の前記排水タンクと前記圧力センサの間に排水弁を設け、
該圧力センサにより、上記切替弁によって排水管路を追焚き管路と連通させたときに上記排水弁を閉として上記浴槽内の水位を検出し、上記切替弁によって排水管路と追焚き管路との接続を断ったときに上記排水弁を開として上記排水タンク内の水位を検出する構成とした
ことを特徴とする、複合式給湯器。
【請求項２】
前記追焚き管路と排水管路との接続部に、三方弁が介設されていることを特徴とする、請求項１に記載の複合式給湯器。
【請求項３】
給水を加熱して注湯を行う給湯管路と、浴槽内の湯水を循環加熱する追焚き管路とを接続する分岐管路に、給湯管路と追焚き管路とを空気分離するホッパを有する複合式給湯器の浴槽水位検出方法であって、
上記ホッパの排水タンクから上記追焚き管路に切替弁を介して排水管路を接続するとともに、上記浴槽内の水位を検出する圧力センサを設け、前記排水管路の前記排水タンクと前記圧力センサの間に排水弁を設けて、
上記切替弁によって排水管路を追焚き管路と連通させたときに上記排水弁を閉として、上記圧力センサにより上記浴槽内の水位を検出し、上記切替弁によって排水管路と追焚き管路との接続を断ったときに上記排水弁を開として、上記圧力センサにより上記排水タンク内の水位を検出するようにしたことを特徴とする、複合式給湯器の浴槽水位検出方法。
【請求項４】
前記切替弁によって排水管路と追焚き管路との接続を断った後、給湯管路から浴槽へ注湯を行い、
この注湯中に、上記圧力センサにより上記排水タンク内の水位を検出し、排水タンク内の検出水位が高レベル以上になったときのみ、排水タンク内の排水を行うようにしたことを特徴とする、請求項３に記載の複合式給湯器の浴槽水位検出方法。
【発明の詳細な説明】
【０００１】
【発明の属する技術分野】
本発明は、注湯を行う給湯管路と、浴槽内の湯水を循環加熱する追焚き管路とを接続する分岐管路にホッパを有する複合式給湯器及びその浴槽水位検出方法に関するものである。
【０００２】
【従来の技術】
従来、この種の複合式給湯器は、例えば図９または図１０に示すように構成されている。
まず、図９に示す複合式給湯器１は、本体内に給湯熱交換器２と、風呂熱交換器３とを備えている。
給湯管路４には、フローセンサ５等が配置されており、給湯熱交換器２の出側から分岐して追焚き管路６に接続された分岐管路７が設けられている。
【０００３】
分岐管路７には、給湯管路４と追焚き管路６とを空気分離するホッパ８が設けられている。このホッパ８には、注湯電磁弁９、分離したときの残水を溜める排水タンク１０、排水タンク弁１１、負圧閉止弁１２及び逆止弁１３が備えられている。
排水タンク１０は、排水管路１４によって追焚き管路６に接続されており、この排水管路１４には、逆止弁１５と第１及び第２の排水電磁弁１６，１７とが設けられている。さらに、排水タンク１０には、外部との間の大気開放口であるエアチャージ管１８と、第１及び第２の排水電磁弁１６，１７を開閉作動させる水位スイッチ１９とが設けられている。
【０００４】
追焚き管路６は、浴槽２０の循環金具２１に接続されて追焚き循環管路を形成しており、この循環管路６には、流水スイッチ２２、二方弁２３、循環ポンプ２４及び風呂サーミスタ２５が配置されている。
給湯管路４から分岐した分岐管路７には、浴槽２０の水位を検出する圧力センサ２６が配置されている。
【０００５】
従来、この複合式給湯器１では、機器の設置の際に、この複合式給湯器を運転制御するために必要な「Ｐ−Ｑデータ」を得るための記憶モード運転を行う。ここで、Ｐ−Ｑデータとはつぎのようなデータである。すなわち、複合式給湯器１が設置される場合に、これに接続される浴槽２０は種々の形状のものが考えられる。Ｐ−Ｑデータとは、これらの浴槽の形状に対応して、最初の運転において、この浴槽に注がれる注湯量（Ｑ）と水位圧力（Ｐ）との関係を所定の運転モード（記憶モード）において検出し、記憶したデータである。これによって、複合式給湯器では、以後の運転において、接続された浴槽２０に対応して記憶された注湯量（Ｑ）と水位圧力（Ｐ）の関係に基づくＰ−Ｑデータ（Ｐ−Ｑ特性図）を使って、注湯等の運転制御をおこなっている。
従来このような記憶モード運転は、例えば図１１に示すようにして行われていた。
すなわち、図示しないリモコンの自動スイッチをオンすると、ホッパ８の空気分離による残水を溜める排水タンク１０内の排水を行った後（ＳＴ１）、浴槽２０内に４０リットル注湯し（ＳＴ２）、浴槽２０内の残水確認を行う（ＳＴ３）。
【０００６】
ステップ３において、残水ありと判定した場合には、エラー表示を行う（ＳＴ４）。
一方、ステップ３において、残水なしと判定した場合には、排水タンク１０内の排水を行った後（ＳＴ５）、浴槽２０に１０リットル注湯し（ＳＴ６）、再び浴槽２０内の残水確認を行う（ＳＴ７）。
【０００７】
そして、ステップ７において、残水なしと判定した場合には、ステップ５に戻る。
一方、ステップ７において、残水ありと判定した場合には、残水なしとした最後の注湯までの注湯量を循環金具２１の下までの注湯量として記憶する。そして、排水タンク１０内の排水を行った後（ＳＴ８）、さらに浴槽２０に１０リットル注湯し（ＳＴ９）、１回目の圧力検出をを行う（ＳＴ１０）。この水位圧力を循環金具２１の上までの注湯量として記憶すると同時に、この圧力を圧力センサの０点補正の原点として、圧力センサの出力値を記憶しておく。この記憶データは、後述する実行モードにて、循環金具２１の上まで注湯したときの圧力センサの出力値と比較され、この比較値（ΔＰ）を実行モードでのＰ−Ｑデータ補正のために用いるのである。
【０００８】
さらに、排水タンク１０内の排水を行った後（ＳＴ１１）、３０リットル注湯し（ＳＴ１２）、２回目の圧力検出をを行う（ＳＴ１３）。この１回目と２回目の圧力差は３０リットルの注湯によるものなので、Ｐ−Ｑデータの水量と圧力の関係に基づくグラフ上でのデータの上昇カーブ（浴槽断面積）として記憶される。
その後、排水タンク１０内の排水を行った後（ＳＴ１４）、記憶されているＰ−Ｑデータに基づいて設定水位まで注湯し（ＳＴ１５）、３回目の圧力検出を行い（ＳＴ１６）、設定水位以上であるか否かを確認する（ＳＴ１７）。
【０００９】
ステップ１７において、設定水位に達していないと判定した場合には、排水タンク１０内の排水を行った後（ＳＴ１７，ＳＴ１８）、ステップ１５に戻る。
一方、ステップ１７において、設定水位以上であると判定した場合には、追焚きを行い（ＳＴ１９）、追焚きが完了するとブザーで知らせる（ＳＴ２０）。
【００１０】
次に、これら複合式給湯器１の実行モード運転は、例えば図１２（ａ）（ｂ）に示すようにして行われていた。
すなわち、図示しない自動スイッチをオンすると、排水タンク１０内の排水を行った後（ＳＴ２１）、浴槽２０内の残水確認を行う（ＳＴ２２）。
【００１１】
ステップ２２において、残水ありと判定した場合には、追焚きを行った後（ＳＴ３５）、後述するステップ３６へ移行する。
一方、ステップ２２において、残水なしと判定した場合には、１０リットル注湯し（ＳＴ２３）、２回目の浴槽残水確認を行う（ＳＴ２４）。
【００１２】
そして、ステップ２４において、残水ありと判定した場合には、ステップ２２と同様に追焚きを行った後（ＳＴ３５）、ステップ３６へ移行する。
一方、ステップ２４において、残水なしと判定した場合には、排水タンク１０内の排水を行った後（ＳＴ２５）、記憶モードでの循環金具２１の下までの注湯量データを用いて、循環金具２１の下まで注湯し（ＳＴ２６）、３回目の浴槽残水確認を行う（ＳＴ２７）。
【００１３】
ステップ２７において、残水ありと判定した場合には、ステップ２２及びステップ２４と同様に追焚きを行った後（ＳＴ３５）、ステップ３６へ移行する。
一方、ステップ２７において、残水なしと判定した場合には、排水タンク１０内の排水を行った後（ＳＴ２８）、記憶モードでの循環金具２１の上までの注湯量データを用いて循環金具２１の上まで注湯し（ＳＴ２９）、圧力センサ２６で圧力検出を行い（ＳＴ３０）、ここで圧力センサ２６の０点補正を行うかどうか判断する。つまり同じ循環金具２１上における記憶モードでのデータ（記憶されているＰ−Ｑデータ）と実行モードでのデータにずれ（ΔＰ）が生じているときは、その大きさが許容範囲内であるかどうかを判断する。許容範囲を越えてそのずれ（ΔＰ）が大きいときは、圧力センサ２６の経年変化でその出力誤差が大きくなっているとして、そのずれ量（ΔＰ）を補正するものである。このずれ量（ΔＰ）を時々補正することで、複合式給湯器１は、圧力センサ２６の経年変化による出力値のずれを考慮することなく、長期にわたって、設定された水位での注湯や補水を行うことができる。次いで、４回目の浴槽残水確認を行う（ＳＴ３１）。
【００１４】
その結果、ステップ３１において、残水なしと判定した場合には、ステップ２８へ戻る。
一方、ステップ３１において、残水ありと判定した場合には、排水タンク１０内の排水を行った後（ＳＴ３２）、設定水位まで注湯し（ＳＴ３３）、２回目の圧力検出をを行い（ＳＴ３６）、設定水位以上であるか否かを確認する（ＳＴ３７）。
【００１５】
ステップ３７において、設定水位に達していないと判定した場合には、ステップ３２に戻る。
一方、設定水位以上であると判定した場合には、追焚きを行い（ＳＴ３８）、追焚きが完了するとブザーで知らせる（ＳＴ３９）。
【００１６】
【発明が解決しようとする課題】
ところで、図９に示した分岐管路７に圧力センサ２６を設けて浴槽２０内の水位を検出するように構成した複合式給湯器１にあっては、給湯管路４からの水道水圧が圧力センサ２６に直接掛かるので、耐水圧性を有する高価な圧力センサ２６を採用しなければならないという問題があった。
【００１７】
一方、図１０に示した追焚き管路６に圧力センサ３６を設けて浴槽２０内の水位を検出するように構成した複合式給湯器３１にあっては、追焚き管路６を浴槽２０内の湯水が循環するので、湯水の汚れにより正確な水位検出ができないという問題があった。
【００１８】
この発明は、上記課題を解決するためになされたもので、圧力センサに水道水圧が直接かかるのを回避することができ、浴槽内の水位検出を正確に行うことができる複合式給湯器及びその浴槽水位検出方法を提供することを目的としている。
【００１９】
【課題を解決するための手段】
上記目的は、給水を加熱して注湯を行う給湯管路と、浴槽内の湯水を循環加熱する追焚き管路とを分岐管路によって接続し、この分岐管路に給湯管路と追焚き管路とを空気分離するホッパを設けた複合式給湯器であって、上記ホッパの排水タンクから上記追焚き管路に切替弁を介して排水管路を接続するとともに、上記浴槽内の水位を検出する圧力センサを設け、前記排水管路の前記排水タンクと前記圧力センサの間に排水弁を設け、該圧力センサにより、上記切替弁によって排水管路を追焚き管路と連通させたときに上記排水弁を閉として上記浴槽内の水位を検出し、上記切替弁によって排水管路と追焚き管路との接続を断ったときに上記排水弁を開として上記排水タンク内の水位を検出する構成とした複合式給湯器により、達成される。
【００２１】
好ましくは、上記追焚き管路と排水管路との接続部に、三方弁が介設されている複合式給湯器により、達成される。
【００２３】
一方、上記目的は、本発明によれば、給水を加熱して注湯を行う給湯管路と、浴槽内の湯水を循環加熱する追焚き管路とを接続する分岐管路に、給湯管路と追焚き管路とを空気分離するホッパを有する複合式給湯器の浴槽水位検出方法であって、上記ホッパの排水タンクから上記追焚き管路に切替弁を介して排水管路を接続するとともに、上記浴槽内の水位を検出する圧力センサを設け、前記排水管路の前記排水タンクと前記圧力センサの間に排水弁を設けて、上記切替弁によって排水管路を追焚き管路と連通させたときに上記排水弁を閉として、上記圧力センサにより上記浴槽内の水位を検出し、上記切替弁によって排水管路と追焚き管路との接続を断ったときに上記排水弁を開として、上記圧力センサにより上記排水タンク内の水位を検出するようにした複合式給湯器の浴槽水位検出方法により、達成される。
【００２５】
また好ましくは、上記切替弁によって排水管路と追焚き管路との接続を断った後、給湯管路から浴槽へ注湯を行い、この注湯に、上記圧力センサにより上記排水タンク内の水位を検出し、排水タンク内の検出水位が高レベル以上になったときのみ、排水タンク内の排水を行うようにした複合式給湯器の浴槽水位検出方法により、達成される。
【００２６】
複合式給湯器を、給水を加熱して注湯を行う給湯管路と、浴槽内の湯水を循環加熱する追焚き管路とを分岐管路によって接続し、この分岐管路に給湯管路と追焚き管路とを分離する手段を有する複合式給湯器であって、前記分離手段に接続される排水管路と、この排水管路と連通した箇所に配置され、前記追焚き管路を介して前記浴槽水位を検出する圧力センサとを有するように構成すると、次のような作用がある。
給湯管路と追焚き管路とを分離する手段を設けることで、浴槽水位による圧力と、給湯管路からの圧力とを受けないようにできる領域を形成する。この領域に含まれる範囲としての前記分離手段から追焚き管路に延びる排水管路もしくはこれと連通する箇所に圧力センサを設ければ、水道水圧が直接掛かることはなく、また、浴槽内の湯水が循環しないので、正確に水位検出を行うことができるものである。
【００２７】
また、複合式給湯器の分離手段をホッパにて形成した上記構成によれば、ホッパが空気分離したときの残水を溜める排水タンクから追焚き管路に至る排水管路に、上記浴槽内の水位を検出する圧力センサが設けられている。
そして、排水管路と追焚き管路との接続部に介設した切替弁によって、排水管路と追焚き管路とを連通させたときに、上記圧力センサにより浴槽内の水位を検出する。一方、切替弁によって排水管路と追焚き管路との接続を断ったときに、上記圧力センサにより上記排水タンク内の水位を検出する。
したがって、排水管路に設けた圧力センサには水道水圧が直接掛かることはなく、また、浴槽内の湯水が循環しないので、正確に水位検出を行うことができるものである。
【００２８】
【発明の実施の形態】
以下、本発明の好適な実施の形態を添付図面に基づいて詳細に説明する。
尚、以下に述べる実施の形態は、本発明の好適な例であるから、技術的に好ましい種々の限定が付されているが、本発明の範囲は、以下の説明において特に本発明を限定する旨の記載がない限り、これらの態様に限られるものではない。
【００２９】
図１は、本発明に係る複合式給湯器の主な構成を示す系統図である。
図において、複合式給湯器４１は、本体内に給湯熱交換器４２と、風呂熱交換器４３とを備えており、給湯管路４４から分岐して追焚き管路４５に接続された分岐管路４６を備えている。
【００３０】
給湯管路４４は、水が供給される給水管４４ａと、この給水管４４ａから給湯熱交換器４２を経て延びる給湯管４４ｂとからなっている。給水管４４ａには、給水量を検出するフローセンサ４７と、入水温度を検出する入水サーミスタ４８とが接続されている。また、給湯管４４ｂには、給湯温度を検出する給湯サーミスタ４９と、給湯を確認する確認スイッチ５０とが接続されている。
【００３１】
追焚き管路４５は浴槽５１の循環金具５２に接続されて追焚き循環管路を形成しており、その戻り管４５ａには湯水の通過を検出する流水スイッチ５３と、この循環管路４５と後述する排水管路６３とを切り替える三方弁５４と、浴槽５１内の湯水を循環管路４５に引き込む循環ポンプ５５とを備えている。
この循環管路４５の戻り管４５ａには、風呂熱交換器４３の入側に入水温度を検出する風呂サーミスタ５６を備えている。そして、循環管路４５の往き管４５ｂは、風呂熱交換器４３から循環金具５２へ至っている。
【００３２】
給湯管４４ｂから分岐した分岐管路４６には、給湯管路４４と循環管路４５とを空気分離するホッパ５７が設けられている。
このホッパ５７には、給湯管４４ｂから湯を引き込む注湯電磁弁５８、空気分離したときの残水を溜める排水タンク５９、排水タンク弁６０、負圧閉止弁６１及び逆止弁６２が備えられている。
【００３３】
排水タンク５９は、排水管路６３によって循環管路４５に設けた三方弁５４と接続されており、この排水管路６３には、これを開閉する排水弁６４と、浴槽５１内の水位を検出する圧力センサ６５とが設けられている。この排水弁６４には、例えば電磁弁を採用する。
また、排水タンク５９には、その内部に外気と連通するエアチャージ管６６が設けられている。
【００３４】
本実施形態の複合式給湯器４１は以上のように構成されており、浴槽５１に湯張りを行う場合は、分岐管路４６に設けたホッパ５７で給湯管路４４と循環管路４５とを接続し、循環管路４５を介して温水を供給している。
具体的には、図示しない自動スイッチをオンすると、まず、注湯電磁弁５８を開き、水圧により逆止弁６０が下に下がると同時に分岐管路４６と排水タンク５９との連絡通路はこの逆止弁６０により閉じられる。また注湯電磁弁５８から流れ込む温水の水圧を負圧閉止弁６１のダイヤフラムが受けることで、閉止弁６１は上に上がり流路が開かれるとともに、逆止弁６２は下に下がって、温水は、分岐管路４６から循環管路４５の戻り管４５ａ及び往き管４５ｂを経てダブル搬送される。
【００３５】
予め設定された水位まで湯張りし、排水管路６３に設けた圧力センサ６５により浴槽２０内の水位が設定水位に達したことを検出すると、注湯電磁弁５８による注湯をやめて、循環ポンプ５５をオンする。
なお、圧力センサ６５による浴槽水位の検出手順については、後述する。
【００３６】
次いで、風呂サーミスタ５６により、浴槽５１から引き込んだ温水の温度を検出する。その検出結果が図示しないリモコン等により設定された設定温度の下限許容温度範囲より低い場合には、図示しない追焚き用バーナによる燃焼を行い、浴槽５１内の温水を循環しながら、設定温度に達するまで焚き上げるようにしている。
【００３７】
上記注湯電磁弁５８を閉じるたびに、ホッパ５７は給湯管路４４と追焚き管路４６とを空気分離するが、このときホッパ５７の逆止弁６０は上下の運動を繰り返す。逆止弁６０が上昇したときには、分岐管路４６の逆止弁６０から負圧閉止弁６１間の管路は排水タンク５９とつながるので、排水タンク５９に上記逆止弁６０から負圧閉止弁６１までの間に存在する温水が落下する。そして上記逆止弁６０から負圧閉止弁６１までの間の管路には空気が入り混んで、空気に満たされる。そして、ホッパ５７の排水タンク５９には、空気分離したときの残水が溜まる。
【００３８】
この排水タンク５９内の残水がある量になると、三方弁５４を排水側にして循環管路４６を遮断すると共に、排水弁６４を開いて、循環ポンプ５５を駆動して残水を浴槽５１へ排出するようになっている。
【００３９】
次に、上記複合式給湯器４１を使用して行う、本発明に係る浴槽水位検出方法の実施形態について説明する。
まず、複合式給湯器４１の記憶モード運転における浴槽水位検出は、例えば図４に示すように行われる。
すなわち、図示しないリモコンの自動スイッチをオンすると、１回目の排水タンク内水位検出フローを開始する（ＳＴ２００−１）。
【００４０】
この排水タンク内水位検出フロー（ＳＴ２００）は、図６に示すようにして行われる。
まず、排水タンク５９の排出管路６３と循環管路４５との接続部に介設された三方弁５４を循環側に切り替える（ＳＴ２０１）。三方弁５４を循環側に切り替えると、排出管路６３と循環管路４５との接続が断たれる。
そして、この状態で排水弁６４を開いて（ＳＴ２０２）、排水タンク５９内の水位を検出し（ＳＴ２０３）、図７に示すように、排水タンク５９内の水位が高レベル水位（Ｈｉ水位）未満であるか否かを確認する（ＳＴ２０４）。
【００４１】
ステップ２０４において、排水タンク５９内の水位がＨｉ水位未満である場合には、排水弁６４を閉じて（ＳＴ２０５）、主フローへと移行する。
一方、ステップ２０４において、排水タンク５９内の水位がＨｉ水位以上である場合には、循環ポンプ５５をオンした後（ＳＴ２０６）、上記三方弁５４を排水側に切り替える（ＳＴ２０７）。三方弁５４を排水側に切り替えると、排出管路６３と循環管路４５とが接続される。
【００４２】
この時、上記ステップ２０２において排水弁６４は開かれているので、排水タンク５９内の水位を検出し（ＳＴ２０８）、排水タンク５９内の水位が低レベル水位（Ｌｏ水位）以下であるか否かを確認する（ＳＴ２０９）。
【００４３】
ステップ２０９において、排水タンク５９内の水位がＬｏ水位以下である場合には、上記三方弁５４を循環側に切り替えた後（ＳＴ２１０）、循環ポンプ５５をオフして（ＳＴ２１１）、主フローへと移行する。
一方、ステップ２０９において、排水タンク５９内の水位がＬｏ水位を越えている場合には、ステップ２０８へ戻る。
【００４４】
次に主フローにおいて、４０リットル注湯し（ＳＴ１０１）、浴槽５１内の残水確認を行う（ＳＴ１０２）。
ステップ１０２において、残水ありと判定した場合には、エラー表示を行う（ＳＴ１０３）。
一方、ステップ１０２において、残水なしと判定した場合には、２回目の排水タンク内水位検出フローを開始する（ＳＴ２００−２）。
【００４５】
２回目の排水タンク内水位検出フロー（ＳＴ２００−２）の終了後、主フローにおいて、１０リットル注湯し（ＳＴ１０４）、再び浴槽５１内の残水確認を行う（ＳＴ１０５）。
そして、ステップ１０５において、残水なしと判定した場合には、ステップ２００−２に戻る。
一方、ステップ１０５において、残水ありと判定した場合には、３回目の排水タンク内水位検出フローを開始する（ＳＴ２００−３）。
【００４６】
３回目の排水タンク内水位検出フロー（ＳＴ２００−３）の終了後、主フローにおいて、さらに１０リットル注湯し（ＳＴ１０６）、三方弁５４を排水側にして１回目の圧力検出を行った後（ＳＴ１０７）、４回目の排水タンク内水位検出フローを開始する（ＳＴ２００−４）。
【００４７】
４回目の排水タンク内水位検出フロー（ＳＴ２００−４）の終了後、主フローにおいて、３０リットル注湯し（ＳＴ１０８）、ふたたび三方弁５４を排水側にして２回目の圧力検出をを行った後（ＳＴ１０９）、５回目の排水タンク内水位検出フローを開始する（ＳＴ２００−５）。
【００４８】
５回目の排水タンク内水位検出フロー（ＳＴ２００−５）の終了後、主フローにおいて、設定水位まで注湯し（ＳＴ１１０）、ふたたび三方弁５４を排水側にして３回目の圧力検出を行い（ＳＴ１１１）、設定水位以上であるか否かを確認する（ＳＴ１１２）。
【００４９】
ステップ１１２において、設定水位に達していないと判定した場合には、６回目の排水タンク内水位検出フローを開始する（ＳＴ２００−６）。６回目の排水タンク内水位検出フロー（ＳＴ２００−６）の終了後、主フローにおいて、ステップ１１０に戻る。
一方、ステップ１１２において、設定水位以上であると判定した場合には、追焚きを行い（ＳＴ１１３）、追焚きが完了するとブザーで知らせる（ＳＴ１１４）。
【００５０】
次に、上記複合式給湯器４１の実行モード運転における浴槽水位検出は、例えば図５（ａ）（ｂ）に示すようにして行われる。
すなわち、図示しない自動スイッチをオンすると、実行モードにおいて１回目の排水タンク内水位検出フローを開始する（２００−１）。この排水タンク内水位検出フロー（２００）は、図６において説明したように行われ、このフローが終了すると主フローへ移行する。
【００５１】
次に主フローにおいて、浴槽５１内の残水確認を行う（ＳＴ１２１）。
ステップ１２１において、残水ありと判定した場合には、追焚きを行った後（ＳＴ１３０）、後述するステップ１３１へ移行する。
一方、ステップ１２１において、残水なしと判定した場合には、１０リットル注湯し（ＳＴ１２２）、２回目の浴槽残水確認を行う（ＳＴ１２３）。
【００５２】
そして、ステップ１２３において、残水ありと判定した場合には、ステップ１２１と同様に追焚きを行った後（ＳＴ１３０）、ステップ１３１へ移行する。
一方、ステップ１２３において、残水なしと判定した場合には、２回目の排水タンク内水位検出フローを開始する（２００−２）。
【００５３】
２回目の排水タンク内水位検出フロー（２００−２）の終了後、主フローにおいて、浴槽５１の循環金具５２の下まで注湯し（ＳＴ１２４）、３回目の浴槽残水確認を行う（ＳＴ１２５）。
【００５４】
ステップ１２５において、残水ありと判定した場合には、ステップ１２１及びステップ１２３と同様に追焚きを行った後（ＳＴ１３０）、ステップ１３１へ移行する。
一方、ステップ１２３において、残水なしと判定した場合には、３回目の排水タンク内水位検出フローを開始する（２００−３）。
【００５５】
３回目の排水タンク内水位検出フロー（２００−３）の終了後、主フローにおいて、循環金具５２の上まで注湯し（ＳＴ１２６）、三方弁５４を排水側にして圧力センサ６５で圧力検出を行い（ＳＴ１２７）、三方弁５４を循環側にして４回目の浴槽残水確認を行う（ＳＴ１２８）。
【００５６】
その結果、ステップ１２８において、残水なしと判定した場合には、ステップ２００−３における３回目の排水タンク内水位検出フローへ戻る。
一方、ステップ１２８において、残水ありと判定した場合には、４回目の排水タンク内水位検出フローを開始する（２００−４）。
【００５７】
４回目の排水タンク内水位検出フロー（２００−４）の終了後、主フローにおいて、設定水位まで注湯し（ＳＴ１２９）、三方弁５４を排水側にして２回目の圧力検出をを行い（ＳＴ１３１）、設定水位以上であるか否かを確認する（ＳＴ１３２）。
【００５８】
ステップ１３２において、設定水位に達していないと判定した場合には、ステップ２００−４における４回目の排水タンク内水位検出フローへ戻る。
一方、設定水位以上であると判定した場合には、三方弁５４を循環側にして追焚きを行い（ＳＴ１３３）、追焚きが完了するとブザーで知らせる（ＳＴ１３４）。
【００５９】
上記記憶モード運転および実行モード運転において、注湯中は三方弁５４を循環側に切り替えると共に排水弁６４を閉じているが、三方弁５４が循環側である状態で排水弁６４を開けば、図４及び図５において※印で示す排水タンク内水位検出フロー（ＳＴ２００）を破線矢印で示す注湯中に行うことができる。
この場合には、図８（ａ）に示す記憶モード運転および実行モード運転における「排水タンク内水位検出フロー（ＳＴ２００）」を、図８（ｂ）に示すように、注湯中に検出した水位がＨｉ水位以上であるときにのみ（ＳＴ２０４）、排水タンク５９内の残水を排水するようにすれば良い（ＳＴ２０６，２０７）。
【００６０】
本実施形態によれば、分岐管路４６に設けられたホッパ５７が給湯管路４４と追焚き管路４５とを空気分離したときには、その残水が排水タンク５９に溜まるが、この排水タンク５９から追焚き管路４５に排水管路６３が接続されており、この排水管路６３には、上記浴槽５１内の水位を検出する圧力センサ６５が設けられている。
また、この排水管路６３と追焚き管路４５との接続部には、三方弁５４が介設されている。
【００６１】
したがって、三方弁５４を排水側に切り替えると、排水管路６３と追焚き管路４５とが連通するので、上記圧力センサ６５によって浴槽５１内の水位を検出することができる。
一方、三方弁５４を循環側に切り替えると、排水管路６３と追焚き管路４５との接続が断たれるので、上記排水弁６４を開けば、圧力センサ６５によって上記排水タンク５９内の水位をも検出することができる。その結果、排水タンク５９内に従来設けられていた水位スイッチが不要となるので、性能を維持したまま、製造コストを低減することができる。つまり、単純に水位スイッチを除くと、排水タンク５９内の水位がわからないので、あるシーケンスごとに一定時間の排水を強行することになる。この場合、水位がＬｏであると、循環ポンプ５５に空気が入り込み異音発生の原因となる。本実施形態では、水位スイッチのかわりを圧力センサ６６で行い、性能を維持したまま水位スイッチを除くことができる。
【００６２】
かくして本実施形態によれば、圧力センサ６５を排水管路６３に設けているので、この圧力センサ６５に水道水圧が直接掛かるのを回避することができ、圧力センサ６５に耐圧性を要しない。
また、浴槽５１内の湯水は排水管路６３内には循環しないので、圧力センサ６５は汚れた湯水による影響を受けることなく、正確に水位検出を行うことができるものである。
さらに、注湯中には、三方弁５４を循環側に切り替えて排水管路６３と追焚き管路４５との接続を断っているので、この注湯中に排水弁６４を開けば、排水タンク５９内の水位を検出することができる。この場合には、上述したように、排水タンク５９内の検出水位がＨｉレベル以上になったときにのみ、三方弁５４を排水側に切り替え、排水タンク５９内の排水を行うようにすれば良い。
【００６３】
なお、上述した実施形態にあっては、上記排水管路６３と追焚き管路４５との接続部に三方弁５４を介設しているが、これに限るものではなく、図２に示すように、当該接続部の手前の戻り管４５ａに二方弁６７を介設すると共に、当該接続部の手前の排水管路６３に、これを開閉する第２の排水弁６８と、湯水の逆流を防止する逆止弁６９とを介設するように構成しても良い。
この場合には、第２の排水弁６８として電磁弁を採用することが好ましく、上記二方弁６７と第２の排水弁６８とを開閉操作することにより、上記三方弁５４と同様の作用効果を奏することは明らかである。
【００６４】
図３は、給湯管路４４と循環管路４５とを分離する手段として、図１とは異なり、ホッパを使用しない例を示している。
図１と同様の符号を付した部分は、図１と同じ構成であり、重複した説明は省略し、相違点のみ説明する。
図３において、上記分離手段は、分岐管路４６の注湯電磁弁５８の下流をさらに分岐した第１の分岐路９１と、この分岐路９１をさらに分岐した第２，第３の分岐路９４，９５を有している。
第２の分岐路９４は、第１の分岐路９１から分岐して、第３の分岐路９５と連通している。第３の分岐路９５は第１の分岐路９１に戻るように接続され、かつ排水管路６３とつながっている。
第２の分岐路９４には大気開放弁９４が接続され、第３の分岐路９５には圧力センサ６６が接続されている。
【００６５】
図３の構成において、上述の検圧領域Ａ５は、分岐管路４６の注湯電磁弁５８の下流と、第１，第２，第３分岐路９１，９４，９５と、追焚き管路４５の排水管路６３と接続された箇所から下流で逆止弁８１までの領域とでなっている。
【００６６】
三方弁８３と逆止弁８１の作用により圧力的に隔離され、検圧領域Ａ５は浴槽水圧及び注湯圧から開放されて所定の圧力に保持される。この状態で大気開放弁９４が大気開放すれば、検圧領域Ａ５内は、Ｌ１の水位圧力となり、これを補正基準圧力として圧力センサ６６を補正できる。
したがって、この構成では、圧力保持手段は、三方弁８３と逆止弁８１ならびに大気開放弁９２である。
尚、三方弁８３を追焚き管路４５側に切り換えれば、圧力センサ６６は浴槽水位圧力を検出することになる。この場合、注湯電磁弁５８の作用により圧力センサ６６には直接水道水圧がかかることがないので、圧力センサ６６に耐圧性を要しない。また、排水管路６３やこれと連通した第３の分岐路９５には浴槽の温水が循環しないので、汚れた湯水の影響を受けることなく、正確に浴槽水位の検出を行うことができる。
また、圧力センサ６６は、分岐管路４６の逆止弁９３より下流に設定してもよい。
【００６７】
【発明の効果】
以上述べたように、本発明に係る複合式給湯器及びその浴槽水位検出方法によれば、圧力センサを排水管路に設けているので、これに水道水圧が直接掛かるのを回避することができ、また、浴槽内の湯水は排水管路内には循環しないので、正確に水位検出を行うことができる。
【図面の簡単な説明】
【図１】本発明に係る複合式給湯器の一実施形態の主な構成を示す系統図である。
【図２】本発明に係る複合式給湯器の他の実施形態の主な構成を示す系統図である。
【図３】本発明に係る複合式給湯器において、分離手段をホッパ以外の手段により構成した例を示す図である。
【図４】本発明に係る複合式給湯器の記憶モード運転における浴槽水位検出方法を示すフロー図である。
【図５】本発明に係る複合式給湯器の実行モード運転における浴槽水位検出方法を示すフロー図である。
【図６】本実施形態の浴槽水位検出方法において、記憶モード運転または実行モード運転における排水タンク内水位検出フローを示すフロー図である。
【図７】本実施形態の複合式給湯器の要部を示す概略図である。
【図８】本実施形態の浴槽水位検出方法において、排水タンク内水位検出フローの変形例を示すフロー図である。
【図９】従来の複合式給湯器における一例の主な構成を示す系統図である。
【図１０】従来の複合式給湯器における他の例の主な構成を示す系統図である。
【図１１】従来の複合式給湯器の記憶モード運転における浴槽水位検出方法を示すフロー図である。
【図１２】従来の複合式給湯器の実行モード運転における浴槽水位検出方法を示すフロー図である。
【符号の説明】
４１            複合式給湯器
４２            給湯熱交換器
４３            風呂熱交換器
４４            給湯管路
４４ａ          給水管
４４ｂ          給湯管
４５            追焚き管路
４５ａ          戻り管
４５ｂ          往き管
４６            分岐管路
４７            フローセンサ
４８            入水サーミスタ
４９            給湯サーミスタ
５０            確認スイッチ
５１            浴槽
５２            循環金具
５３            流水スイッチ
５４            三方弁
５５            循環ポンプ
５６            風呂サーミスタ
５７            ホッパ
５８            注湯電磁弁
５９            排水タンク
６０            排水タンク弁
６１            負圧閉止弁
６２            逆止弁
６３            排水管路
６４            排水弁
６５            圧力センサ
６６            エアチャージ管
６７            二方弁
６８            第２の排水弁
６９            逆止弁
【図１】
0003834375.tif 000002
【図２】
0003834375.tif 000003
【図３】
0003834375.tif 000004
【図４】
0003834375.tif 000005
【図５】
0003834375.tif 000006
【図６】
0003834375.tif 000007
【図７】
0003834375.tif 000008
【図８】
0003834375.tif 000009
【図９】
0003834375.tif 000010
【図１０】
0003834375.tif 000011
【図１１】
0003834375.tif 000012
【図１２】
0003834375.tif 000013